(57)【特許請求の範囲】
【請求項１】
画像表示装置であって、
前記画像表示装置に設けられ、当該画像表示装置に対する操作を受け付ける本体操作部と、
前記画像表示装置を、リモコンによる操作が無効であるとともに、前記本体操作部による操作が有効であるロック状態に設定するロック状態設定部と、
前記ロック状態であることを報知する報知部と、
前記ロック状態で前記リモコンが操作された後に前記本体操作部が操作された際に、前記報知部による報知を行わせる報知制御部と、を備えることを特徴とする画像表示装置。
【請求項２】
前記ロック状態で前記リモコンが操作されたことを示す操作フラグが設定されるフラグ記憶部と、
前記リモコンが操作された際に、前記ロック状態であれば操作フラグを前記フラグ記憶部に設定するフラグ設定部と、をさらに備え、
前記報知制御部は、前記本体操作部が操作された際に、前記フラグ記憶部に操作フラグが設定されている場合に、前記報知部による報知を行わせることを特徴とする請求項１に記載の画像表示装置。
【請求項３】
前記フラグ設定部は、前記報知部による報知が行われた際に前記フラグ記憶部に報知フラグを設定し、前記報知フラグが設定されている場合には、前記リモコンが操作されても前記操作フラグを設定しないことを特徴とする請求項２に記載の画像表示装置。
【請求項４】
前記フラグ設定部は、前記報知部による所定回数の報知が行われた際に前記報知フラグを設定することを特徴とする請求項３に記載の画像表示装置。
【請求項５】
前記ロック状態は、前記画像表示装置によって表示される画像で報知され、
前記報知部は、前記画像を表示する画像表示部であることを特徴とする請求項１から４のいずれか１項に記載の画像表示装置。
【請求項６】
前記報知部は、前記本体に設けられて報知情報を表示する情報表示部であることを特徴とする請求項１から４のいずれか１項に記載の画像表示装置。
【請求項７】
画像表示装置の制御方法であって、
リモコンによる操作が無効であるとともに、前記画像表示装置に設けられて当該画像表示装置に対する操作を受け付ける本体操作部による操作が有効であるロック状態で、前記リモコンが操作された後に前記本体操作部が操作された際に、ロック状態であることを報知部に報知させることを特徴とする画像表示装置の制御方法。
【請求項８】
前記ロック状態で前記リモコンが操作されたことを示す操作フラグをフラグ記憶部に設定し、
前記本体操作部が操作された際に、前記フラグ記憶部に操作フラグが設定されている場合に、ロック状態であることを前記報知部に報知させることを特徴とする請求項７に記載の画像表示装置の制御方法。
【発明の詳細な説明】
【技術分野】
【０００１】
本発明は、画像表示装置およびその制御方法、特にリモコンからの操作を拒否するロック状態に設定可能な画像表示装置の技術に関する。
【背景技術】
【０００２】
従来、プロジェクターなどの画像表示装置が用いられている。複数の画像を表示させたり、より大きな画像を表示させたりするために、複数の画像表示装置が同時に使用される場合がある。複数の画像表示装置が同時に使用される場合、リモコン操作によって画像表示装置を動作させると、１台の画像表示装置に対するリモコン操作に対して他の画像表示装置が反応してしまい、使用者の意図と異なる動作が行われてしまう場合がある。
【０００３】
そこで、リモコンからの操作は拒否するが本体に設けられた操作部からの操作は受け付ける状態、いわゆるロック状態に設定可能な画像表示装置がある。ロック状態に設定することで、他の画像表示装置に対するリモコン操作に誤って反応してしまうことを防ぐことができる。
【０００４】
しかしながら、ロック状態に設定された画像表示装置に対してリモコン操作が行われた場合にも、その画像表示装置が反応しないため、ロック状態であることを認識していない使用者が、リモコンや画像表示装置の故障であると誤解してしまう場合がある。そこで、ロック状態時のリモコン操作に対して、ロック状態であることを報知して、使用者の誤解を防ぐ技術が、例えば特許文献１に提案されている。
【先行技術文献】
【特許文献】
【０００５】
【特許文献１】特開２００９−２３９７２０号公報
【発明の概要】
【発明が解決しようとする課題】
【０００６】
しかしながら、上述したように複数の画像表示装置が用いられている状態では、リモコン操作が行われるたびに複数の画像表示装置からロック状態であることが報知されるため、使い勝手が悪かった。例えば、一部の画像表示装置はロック状態に設定されていない場合に、ロック状態に設定されていない画像表示装置へのリモコン操作に対して、他の画像表示装置からいちいちロック状態であることが警告表示として被照射面に報知されれば、画像の視聴が妨げられてしまう。また、複数の画像表示装置から一斉にロック状態であることが報知された場合、どの画像表示装置がロック状態であるか把握しにくいという問題も生じる。
【０００７】
本発明は、上述の問題に鑑みてなされたものであり、ロック状態報知のタイミングの適正化を図ることで、使い勝手の向上を図ることのできる画像表示装置およびその制御方法を提供することを目的とする。
【課題を解決するための手段】
【０００８】
上述した課題を解決し、目的を達成するために、本発明は、画像表示装置であって、画像表示装置に設けられ、当該画像表示装置に対する操作を受け付ける本体操作部と、画像表示装置を、リモコンによる操作が無効であるとともに、本体操作部による操作が有効であるロック状態に設定するロック状態設定部と、ロック状態であることを報知する報知部と、ロック状態でリモコンが操作された後に本体操作部が操作された際に、報知部による報知を行わせる報知制御部と、を備えることを特徴とする。
【０００９】
ロック状態でリモコンが操作された後に本体操作部が操作された際に、報知部による報知が行われるので、リモコン操作に対してロック状態の報知が行われずに済む。したがって、複数の画像表示装置を使用している場合に、他の画像表示装置に対するリモコン操作に対して、誤って警告表示などによる報知が行われることを防ぐことができる。これにより、誤った警告表示によって画像の視聴が妨げられることを防ぐことができる。
【００１０】
また、本体操作部を操作した際にロック状態が報知されるので、実際に操作している画像表示装置がロック状態であると容易に認識することができる。したがって、例えば複数の画像表示装置を使用している場合であっても、いずれの画像表示装置がロック状態であるか把握しやすくなる。
【００１１】
また、本発明の好ましい態様としては、ロック状態でリモコンが操作されたことを示す操作フラグが設定されるフラグ記憶部と、リモコンが操作された際に、ロック状態であれば操作フラグをフラグ記憶部に設定するフラグ設定部と、をさらに備え、報知制御部は、本体操作部が操作された際に、フラグ記憶部に操作フラグが設定されている場合に、報知部による報知を行わせることが望ましい。本体操作部が操作された際に、操作フラグの設定の有無によって、ロック状態でリモコン操作がなされたか否かを判別することができる。
【００１２】
また、本発明の好ましい態様としては、フラグ設定部は、報知部による報知が行われた際にフラグ記憶部に報知フラグを設定し、報知フラグが設定されている場合には、リモコンが操作されても操作フラグを設定しないことが望ましい。ロック状態であることが報知されれば、記憶部に報知フラグが設定され、報知フラグが設定された後の再度の本体操作部の操作ではロック状態の報知が行われないので、報知部による報知の回数を制限し、報知タイミングの適正化を図ることができる。
【００１３】
また、本発明の好ましい態様としては、フラグ設定部は、報知部による所定回数の報知が行われた際に報知フラグを設定することが望ましい。所定回数の報知が行われるので、使用者が警告表示を見逃してしまい本体操作部を再度操作した場合でも、所定回数内の操作であれば報知が行われるので、ロック状態を把握しやすくなる。
【００１４】
また、本発明の好ましい態様としては、ロック状態は、画像表示装置によって表示される画像で報知され、報知部は、画像を表示する画像表示部であることが望ましい。リモコンの操作や本体操作部の操作は、画像を見ながら行われることが多いので、画像で報知することで、ロック状態であることを使用者が把握しやすくなる。
【００１５】
また、本発明の好ましい態様としては、報知部は、本体に設けられて報知情報を表示する情報表示部であることが望ましい。本体に設けられた情報表示部でロック状態が報知されるので、例えば複数の画像表示装置を使用している場合であっても、いずれの画像表示装置がロック状態であるか把握しやすくなる。
【００１６】
また、本発明の画像表示装置の制御方法は、リモコンによる操作が無効であるとともに、画像表示装置に設けられて当該画像表示装置に対する操作を受け付ける本体操作部による操作が有効であるロック状態で、リモコンが操作された後に本体操作部が操作された際に、ロック状態であることを報知部に報知させることを特徴とする。
【００１７】
ロック状態でリモコンが操作された後に本体操作部が操作された際に、報知部による報知が行われるので、リモコン操作に対してロック状態の報知が行われずに済む。したがって、複数の画像表示装置を使用している場合に、他の画像表示装置に対するリモコン操作に対して、誤って警告表示などによる報知が行われることを防ぐことができる。これにより、誤った警告表示によって画像の視聴が妨げられることを防ぐことができる。
【００１８】
また、本発明の好ましい態様としては、ロック状態でリモコンが操作されたことを示す操作フラグをフラグ記憶部に設定し、本体操作部が操作された際に、フラグ記憶部に操作フラグが設定されている場合に、ロック状態であることを報知部に報知させることが望ましい。本体操作部が操作された際に、操作フラグの設定の有無によって、ロック状態でリモコン操作がなされたか否かを判別することができる。
【図面の簡単な説明】
【００１９】
【図１】図１は、本発明の実施例１に係るプロジェクターの外観を示す側面図である。
【図２】図２は、プロジェクターの外観を示す平面図である。
【図３】図３は、プロジェクターの内部構成の概略を示すブロック図である。
【図４】図４は、ロック状態を報知する警告表示としてスクリーンに表示された画像を示す図である。
【図５】図５は、情報表示部によるロック状態の報知例を示す図である。
【図６】図６は、情報表示部によるロック状態の報知例を示す図である。
【図７】図７は、ロック状態を報知する警告表示が表示される手順を説明するためのフローチャートである。
【発明を実施するための形態】
【００２０】
以下に図面を参照して、本発明の実施例を詳細に説明する。
【実施例１】
【００２１】
図１は、本発明の実施例１に係るプロジェクターの外観を示す側面図である。図２は、図１に示すプロジェクターの外観を示す平面図である。プロジェクター１は、被照射面としてのスクリーン３０に光を投写して画像を表示させる画像表示装置である。
【００２２】
画像表示装置としてのプロジェクター１は、筐体（本体）２、投写レンズ３、調整脚部４を備える。筐体２は、プロジェクター１の外郭を構成し、内部には光源装置（図示せず）や変調装置（図示せず）が収容される。筐体２の天面２ａには、本体操作部２１や情報表示部２２が設けられている。
【００２３】
本体操作部２１は、筐体２の天面２ａに複数のボタンとして設けられている。本体操作部２１は、プロジェクター１の電源をオン・オフさせる場合や、スクリーン３０にメニュー画面を表示させる場合に使用者によって操作される。なお、プロジェクター１は、後述するリモコンによっても電源のオン・オフやメニュー画面を表示させる操作が可能となっている。
【００２４】
情報表示部２２は、表示画面２２ａと表示ランプ２２ｂを有して構成される。情報表示部２２は、プロジェクター１の動作状態や設定状態を報知するためのものである。例えば、表示画面２２ａには文字情報や図柄が表示されて、プロジェクター１の動作状態や設定状態を示すことができるようになっている。また、表示ランプ２２ｂは複数設けられており、その表示ランプ２２ｂごとの点灯・消灯によってプロジェクター１の動作状態や設定状態を示すことができるようになっている。また、情報表示部２２は、上述した文字情報やランプの点灯などにより、プロジェクター１がロック状態であることを示すことができるが、その詳細については後述する。
【００２５】
投写レンズ３は、光源装置から射出され、変調装置で変調された光をスクリーン３０に向けて射出する。投写レンズ３から射出された光によって、スクリーン３０に画像が表示される。調整脚部４は、筐体２の底面２ｂから突出可能に設けられる。調整脚部４は、筐体２の底面２ｂからの突出量が可変とされる。調整脚部４の突出量を変えることで、プロジェクター１の設置角度を変化させることができ、スクリーン３０への画像の投写角度を調整することができる。具体的には、調整脚部４の突出量を変えることで、プロジェクター１が載置された載置面４０と、筐体２の底面２ｂのスクリーン側端部との距離を変化させ、画像の投写角度を調整する。なお、調整脚部４は、不使用時には筐体２内に収納可能となっている。
【００２６】
図３は、プロジェクター１の内部構成の概略を示すブロック図である。プロジェクター１は、画像処理や音声処理を行うために、電源部６、入力端子７、入力選択部８、リモコン受光部９、本体操作部２１、キー入力処理部１０、記憶部（フラグ記憶部）１１、制御部（報知制御部）（フラグ設定部）１２、情報表示部２２、画像音声処理部（画像表示部）（報知部）１３、画像出力部（画像表示部）（報知部）１４、音声出力部１５、画像投写部（画像表示部）（報知部）１６、スピーカー１７を備える。
【００２７】
電源部６は、商用電源コンセントなどに接続されて、プロジェクター１に電源を供給するためのものである。入力端子７は、複数備えられ、例えばＤＶＤプレーヤーやパーソナルコンピューターなどの外部接続機器が接続される。入力端子７を介して、外部接続機器から画像情報や音声情報が取得される。
【００２８】
入力選択部８は、複数備えられた入力端子７から取得した画像情報や音声情報から、画像音声処理部１３に送る情報を選択する。例えば、外部接続機器として入力端子７にＤＶＤプレーヤーとパーソナルコンピューターとが接続されている場合に、どちらの外部接続機器の情報を用いて画像の表示などをさせるかを選択する。この選択は、リモコン３１の操作や本体操作部２１の操作に基づいて行われる。また、入力選択部８は、選択した画像情報や音声情報を、画像音声処理部１３に送信する。
【００２９】
リモコン受光部９は、プロジェクター１を操作するためにリモコン３１が操作された際に、リモコン３１から発信された信号を受信して、キー入力処理部１０に送信する。リモコン３１は、使用者によって操作されるもので、上述した外部接続機器の選択や、電源のオン・オフ操作などを行うことができるようになっている。
【００３０】
本体操作部２１は、上述したように、筐体２の天面２ａに設けられており、使用者によって操作可能とされる。本体操作部２１は、使用者に操作されると、操作内容を示す操作情報をキー入力処理部１０に向けて送信する。キー入力処理部１０は、リモコン受光部９から送られてきた信号や、本体操作部２１から送られてきた操作信号を制御部１２に送信する。
【００３１】
記憶部１１には、プロジェクター１の設定情報や各種フラグが記憶される。記憶部１１には、制御部１２からの指示に基づいて、プロジェクター１がロック状態であることを示すロック状態フラグが設定される。ロック状態とは、プロジェクター１がリモコン３１からの操作は拒否するが、本体操作部２１からの操作は受け付ける状態である。プロジェクター１をロック状態とするか否かは、本体操作部２１を操作することで設定することができる。制御部１２は、記憶部１１１にロック状態フラグを設定して、プロジェクター１をロック状態に設定するロック状態設定部として機能する。記憶部１１にロック状態フラグが設定されているか否かで、プロジェクター１がロック状態であるか否かを判別することができる。
【００３２】
記憶部１１には、ロック状態であることを使用者に報知するための警告表示がなされたことを示す報知フラグが、制御部１２からの指示に基づいて設定される。記憶部１１には、制御部１２からの指示に基づいて、操作フラグが設定される。操作フラグは、プロジェクター１がロック状態となっている間にリモコン操作がされた場合であって、報知フラグが設定されていない場合に設定されるフラグである。すなわち、操作フラグは、ロック状態であることを報知する警告表示がなされる前にリモコン３１が操作された場合に設定されるフラグである。したがって、操作フラグが設定された場合には、ロック状態であることに使用者が気付いていない蓋然性が高い。なお、記憶部１１に設定された各フラグの消去のタイミングについては後述する。
【００３３】
制御部１２は、キー入力処理部１０から送信された情報に基づいて記憶部１１にフラグを設定したり、記憶部１１に設定されたフラグに基づいて画像音声処理部１３などを制御して警告表示を行わせたりする。以下に、制御部１２の動作を詳細に説明する。
【００３４】
制御部１２は、プロジェクター１の電源がオンにされると、記憶部１１に設定されている操作フラグおよび報知フラグを消去する。
【００３５】
制御部１２は、リモコン３１の操作による操作信号をキー入力処理部１０から受信すると、プロジェクター１がロック状態であるか否か、すなわち記憶部１１にロック状態フラグが設定されているか否かを判別する。ここで、記憶部１１にロック状態フラグが設定されていない場合には、リモコン３１からの操作を受け付け、指示された動作を画像音声処理部１３などに実行させる。そして、記憶部１１にロック状態フラグが設定されている場合には、記憶部１１に報知フラグが設定されているか否かを判別する。
【００３６】
ここで、記憶部１１に報知フラグが設定されていない場合には、ロック状態であることを報知する警告表示がいまだ行われていないため、後に警告表示を行うきっかけとなる操作フラグを記憶部１１に設定する。また、ロック状態であるので、リモコン３１からの操作を拒否する。また、記憶部１１に報知フラグが設定されている場合には、すでにロック状態であることを報知する警告表示が行われているので、操作フラグは設定せずにリモコン３１からの操作を拒否する。
【００３７】
制御部１２は、本体操作部２１の操作による操作信号をキー入力処理部１０から受信すると、記憶部１１に操作フラグが設定されているか否かを判別する。ここで、記憶部１１に操作フラグが設定されていない場合には、本体操作部２１からの操作を受け付け、指示された動作を画像音声処理部１３などに実行させる。また、記憶部１１に操作フラグが設定されている場合には、ロック状態であることを報知する警告表示を行わせる。
【００３８】
上述したように、リモコン３１からの操作が拒否されるロック状態であるにも関わらず、リモコン３１が操作された場合に、操作フラグが設定される。したがって、記憶部１１に操作フラグが設定されている場合には、ロック状態であることを使用者が認識していない蓋然性が高い。そこで、操作フラグが設定されている場合に、警告表示を行うことで、ロック状態であることを使用者に認識させることができ、リモコン３１が故障しているといった誤解が生じることを防ぐことができる。
【００３９】
図４は、ロック状態を報知する警告表示としてスクリーン３０に表示された画像を示す図である。制御部１２は、画像音声処理部１３などの画像表示部を制御して、図４に示すような警告表示をスクリーン３０に表示させる。図４に示すように、プロジェクター１で投写する画像の一部に警告表示を表示してもよいし、プロジェクター１で投写する画像の全体に警告表示を表示してもよい。画像が投写されるスクリーン３０に警告表示が表示されるので、より確実に使用者にロック状態であることを認識させやすくなる。
【００４０】
図５、図６は、情報表示部（報知部）２２によるロック状態の報知例を示す図である。図５では、筐体２の天面２ａに設けられた表示画面２２ａに、文字情報として警告表示が表示された状態を示している。使用者が操作している本体操作部２１も筐体２に設けられている。本体操作部２１と同様に筐体２に設けられている表示画面２２ａに警告表示が表示されれば、使用者に認識されやすくなり、より確実に使用者にロック状態であることを認識させやすくなる。
【００４１】
図６では、筐体２の表示ランプ２２ｂで警告表示が行われている状態を示している。複数設けられた表示ランプ２２ｂのうち、ロック状態を警告するランプが決められており（本実施例では一番左側のランプ）、その表示ランプ２２ｂが点灯表示となることで、ロック状態であることを報知する。上述した表示画面２２ａで報知する場合と同様に、筐体２に設けられている表示ランプ２２ｂに警告表示が表示されれば、使用者に認識されやすくなり、より確実に使用者にロック状態であることを認識させやすくなる。
【００４２】
制御部１２は、ロック状態を報知する警告表示を表示させると、記憶部１１に報知フラグを設定するとともに、操作フラグを消去する。報知フラグを設定することで、その後の本体操作部２１の操作や、リモコン３１の操作に対して警告表示が表示されなくなるので、本体操作部２１を操作するたびに警告表示が表示されて煩わしいといった問題が生じにくくなる。
【００４３】
そして、制御部１２は、報知フラグの設定および操作フラグの消去を行った後で、本体操作部２１の操作を受け付け、指示された動作を画像音声処理部１３などに実行させる。
【００４４】
画像音声処理部１３は、入力選択部８から送信された画像信号や、警告表示を表示させるための画像信号を画像出力部１４に送信する。また、画像音声処理部１３は、入力選択部８から送信された音声信号を音声出力部１５に送信する。
【００４５】
画像出力部１４は、画像音声処理部１３から送信された画像信号に基づいて、画像投写部１６に画像を表示させる。画像投写部１６は、投写レンズ３や図示しない変調装置を含んで構成される。画像音声処理部１３、画像出力部１４、画像投写部１６は、ロック状態を報知するための警告表示画像を表示する画像表示部として機能する。音声出力部１５は、画像音声処理部１３から送信された音声信号に基づいて、スピーカー１７に音声を発生させる。
【００４６】
次に、ロック状態であることを報知する警告表示が表示される手順を説明する。図７は、ロック状態を報知する警告表示が表示される手順を説明するためのフローチャートである。
【００４７】
まず、プロジェクター１を使用するために電源がオンとされる（ステップＳ１）。そして、記憶部１１に報知フラグや操作フラグが設定されていれば、これらが消去される（ステップＳ２）。リモコン３１が操作された際に（ステップＳ３，Ｙｅｓ）、ロック状態でなければ（ステップＳ４，Ｎｏ）、リモコン３１からの操作が受け付けられ、指示された動作が実行される（ステップＳ５）。
【００４８】
リモコン３１が操作された際に（ステップＳ３，Ｙｅｓ）、ロック状態であれば（ステップＳ４，Ｙｅｓ）、報知フラグが設定されているか判別される。ここで、報知フラグが設定されていなければ（ステップＳ６，Ｎｏ）、記憶部１１に操作フラグが設定されるとともに（ステップＳ７）、リモコン３１からの操作が拒否される（ステップＳ８）。また、報知フラグが設定されていれば（ステップＳ６，Ｙｅｓ）、リモコン３１からの操作が拒否される（ステップＳ８）。
【００４９】
そして、本体操作部２１が操作された際に（ステップＳ９，Ｙｅｓ）、操作フラグが設定されていれば（ステップＳ１０，Ｙｅｓ）、ロック状態を報知する警告表示が表示される（ステップＳ１１）。警告表示が表示されると、報知フラグが記憶部１１に設定され（ステップＳ１２）、操作フラグが記憶部１１から消去されるとともに（ステップＳ１３）、指示された動作が実行される（ステップＳ１４）。また、本体操作部２１が操作された際に（ステップＳ９，Ｙｅｓ）、操作フラグが設定されていなければ（ステップＳ１０，Ｎｏ）、本体操作部２１からの操作が受け付けられ、指示された動作が実行される（ステップＳ１４）。最後に、プロジェクター１の使用が終了し、電源がオフとされる（ステップＳ１５）。
【００５０】
以上説明したように、プロジェクター１がロック状態のときに、リモコン３１が操作されても警告表示がされないので、複数のプロジェクター１を使用している場合に、他のプロジェクター１に対するリモコン操作に対して誤って警告表示がなされることを防ぐことができる。これにより、誤った警告表示によって画像の視聴が妨げられることを防ぐことができる。
【００５１】
また、本体操作部２１を操作した際に警告表示が表示されるので、実際に操作しているプロジェクター１がロック状態であると容易に認識できる。したがって、複数のプロジェクターを使用している場合であっても、いずれのプロジェクター１がロック状態であるか把握しやすくなる。特に、筐体２に設けられた情報表示部２２に警告表示が表示されれば、より確実にロック状態となっているプロジェクター１を把握することができる。
【００５２】
また、ロック状態であることが一度報知されれば、記憶部１１に報知フラグが設定され、報知フラグが設定された後の再度の本体操作部２１の操作では警告表示が表示されないので、本体操作部２１を操作するたびに警告表示が表示されることを防ぐことができる。したがって、本体操作部２１を操作するたびに、警告表示によって画像の視聴が妨げられるのを防ぐことができる。
【００５３】
また、操作フラグが設定されていない場合には、本体操作部２１が操作されても警告表示がなされない（ステップＳ１０参照）。操作フラグが設定されていない状態での本体操作部２１の操作は、ロック状態であることを認識した上で使用者が本体操作部２１を操作している可能性が高く、このような場合の不要な警告表示を防ぐことができる。
【００５４】
なお、警告表示が表示される手順は、図７のフローチャートで示す場合に限られない。例えば、ステップＳ１２〜Ｓ１４の順番は適宜変更しても構わない。すなわち、警告表示の表示や、フラグの設定・消去の順序など、本実施例の目的を逸脱しない範囲で適宜変更しても構わない。
【００５５】
また、報知フラグを設定するステップＳ１３と報知フラグが設定されているか判別するステップＳ６を行わないように構成してもよい。この場合、ロック状態でリモコン３１が操作されるたびに操作フラグが設定され、その後の本体操作部２１の操作によって警告表示が表示されるようになる。例えば、ある使用者が警告表示によってロック状態を把握したが他の使用者がロック状態を把握していない場合、他の使用者がロック状態中に再度リモコン３１を操作したような場合でも操作フラグが設定され、警告表示が表示されるようになる。したがって、一度の警告表示によってロック状態を把握できなかった使用者にもロック状態を把握させやすくなる。
【００５６】
また、本実施例では、ロック状態の報知として画像による報知やランプによる報知を例に挙げて説明したが、これに限られない。例えば、スピーカー１７から発生される音声で報知しても構わない。
【００５７】
また、本実施例では、画像表示装置としてプロジェクター１を例に挙げて説明したが、これに限られない。例えば、テレビ受像機であっても構わない。複数のテレビ受像機を並べて使用する場合などに、リモコンの操作に対して警告表示がなされなくなることで、画像の視聴が妨げられにくくなるなど、上述したものと同様の効果を得ることができる。
【００５８】
また、本実施例では、プロジェクター１がロック状態を報知する警告表示を１回表示した後に制御部１２が報知フラグを設定する場合を例に挙げて説明したが、これに限られない。例えば、制御部１２は、操作フラグが設定された場合、報知フラグを設定する前に所定回数の本体操作部２１の操作に対して警告表示を表示させても良い。本変形例では、制御部１２は、プロジェクター１が警告表示を表示した場合に、所定回数の警告表示がなされたかを判別する。そして、所定回数の警告表示がなされたと判別された場合に、報知フラグの設定および操作フラグの消去が行われる。
【００５９】
所定回数の本体操作部２１の操作までは警告表示が表示されるので、１度の警告表示を使用者が見逃してしまった場合でも、次の本体操作部２１の操作で警告表示を表示させることができる。したがって、使用者が警告表示を見逃してしまった場合でも、再度の警告表示によりロック状態を把握しやすくなる。
【符号の説明】
【００６０】
１  プロジェクター（画像表示装置）、２  筐体（本体）、２ａ  天面、２ｂ  底面、３  投写レンズ、４  調整脚部、６  電源部、７  入力端子、８  入力選択部、９  リモコン受光部、１０  キー入力処理部、１１  記憶部（フラグ記憶部）、１２  制御部（フラグ設定部）（報知制御部）（ロック状態設定部）、１３  画像音声処理部（画像表示部）（報知部）、１４  画像出力部（画像表示部）（報知部）、１５  音声出力部、１６  画像投写部（画像表示部）（報知部）、１７  スピーカー、２１  本体操作部、２２  情報表示部（報知部）、２２ａ  表示画面、２２ｂ  表示ランプ、３０  スクリーン、３１  リモコン、４０  載置面
【図１】
0005505196.tif 000002
【図２】
0005505196.tif 000003
【図３】
0005505196.tif 000004
【図４】
0005505196.tif 000005
【図５】
0005505196.tif 000006
【図６】
0005505196.tif 000007
【図７】
0005505196.tif 000008